(57)【要約】【課題】冷蔵庫の配線の異常を確実に発見し、信頼性の高い冷蔵庫を得ることを目的とする。【解決手段】ステッピングモータにより駆動される電動ダンパと、該電動ダンパを制御する電動ダンパ制御装置を備えた冷蔵庫において、前記電動ダンパ制御装置はスイッチング電源トランスとステッピングモータドライブ回路と電圧降下素子を有し、該電圧降下素子は前記ステッピングモータドライブ回路とスイッチング電源トランスの零Ｖ側に接続し、前記電圧降下素子の印加電圧が所定電圧の場合、前記電動ダンパを駆動するための配線の異常を判断することを特徴とする。【選択図】  図２
2010178401.tif 000002
【特許請求の範囲】
【請求項１】
ステッピングモータにより駆動される電動ダンパと、該電動ダンパを制御する電動ダンパ制御装置を備えた冷蔵庫において、前記電動ダンパ制御装置はスイッチング電源トランスとステッピングモータドライブ回路と電圧降下素子を有し、該電圧降下素子は前記ステッピングモータドライブ回路と前記スイッチング電源トランスの零Ｖ側に接続し、前記電圧降下素子の印加電圧が所定電圧の場合、前記電動ダンパを駆動するための配線の異常を判断することを特徴とする冷蔵庫。
【請求項２】
前記電動ダンパを駆動するための前記配線の異常を判断した場合に報知を行う報知手段を有することを特徴とする、請求項１に記載の冷蔵庫。
【発明の詳細な説明】
【技術分野】
【０００１】
本発明は、冷蔵庫に関する。
【背景技術】
【０００２】
従来、冷蔵庫の各貯蔵室内の温度を制御するため、冷気の供給量を制御する電動ダンパを搭載したものがある。特許文献１には、ステッピングモータと、ステッピングモータの回転に連動して開閉駆動されるバッフルで構成された電動ダンパ装置が記載されている。
【０００３】
また、特許文献２には、スイッチング電源トランスとステッピングモータドライブ回路間に電圧降下素子を設置し、電動ダンパの駆動電圧を目的の電圧とすることが記載されている。
【先行技術文献】
【特許文献】
【０００４】
【特許文献１】特開２０００−３１０４７２号公報
【特許文献２】特開２００４−０１２０２８号公報
【発明の概要】
【発明が解決しようとする課題】
【０００５】
特許文献１に記載のように、ステッピングモータを用いて電動ダンパを駆動する際、運動量が駆動パルスの数に比例するという特徴を持つため、駆動パルスによってバッフルの位置を推定することができる。
【０００６】
しかしながら、一般的にステッピングモータの位置情報や動作状態を示すためのフィードバック信号は無い。そのため、モータ軸へのトルク過負荷による動作不良，ステッピングモータに電流を流すための配線の断線、その他の何らかの原因でステッピングモータが回らないなどの現象が発生した場合、異常と判断することはできないという問題があった。
【０００７】
また特許文献２に記載の構成では、前述のとおりステッピングモータの回転位置情報などを示すフィードバック信号が無いため、電動ダンパの接続回路及び駆動用配線の断線や異常の判断ができないという問題があった。
【０００８】
例えば、電動ダンパ駆動用の複数の配線の１本が断線した場合、電動ダンパの駆動は正常ではないものの、一部の巻線には電流が流れて動作し、バッフルが動作する。そのため、冷蔵庫としての機能検査でも確実に異常を検出することができないという問題があった。
【０００９】
上記課題に鑑みて、本発明は、冷蔵庫の配線の異常を確実に発見し、信頼性の高い冷蔵庫を得ることを目的とする。
【課題を解決するための手段】
【００１０】
上記課題を解決するために、本発明の冷蔵庫は、ステッピングモータにより駆動される電動ダンパと、該電動ダンパを制御する電動ダンパ制御装置を備えた冷蔵庫において、前記電動ダンパ制御装置はスイッチング電源トランスとステッピングモータドライブ回路と電圧降下素子を有し、該電圧降下素子は前記ステッピングモータドライブ回路とスイッチング電源トランスの零Ｖ側に接続し、前記電圧降下素子の印加電圧が所定電圧の場合、前記電動ダンパを駆動するための配線の異常を判断することを特徴とする。
【００１１】
また、前記電動ダンパを駆動するための前記配線の異常を判断した場合に報知を行う報知手段を有することを特徴とする。
【発明の効果】
【００１２】
本発明は、冷蔵庫の配線の異常を確実に発見し、信頼性の高い冷蔵庫を得ることができる。
【図面の簡単な説明】
【００１３】
【図１】電動ダンパの外形図である。
【図２】制御基板と電動ダンパを電気的に接続させる配線の構成を示す図である。
【図３】電圧降下素子として使用したダイオード１４の順電圧特性図である。
【図４】制御装置により電圧観測し、断線による異常が発生しているか否かを判定する制御フローチャートである。
【発明を実施するための形態】
【００１４】
図１は、電動ダンパの外形図である。図２は、制御基板と電動ダンパを電気的に接続させる配線の構成を示す図である。２は、電動ダンパである。２１は、ステッピングモータが回転することで動作するバッフルである。１３は、制御装置である。１２は、制御装置１３から出力されるパルス信号から、電動ダンパ２内のステッピングモータにパルス電圧を印加するためのステッピングモータドライブ回路である。１１は、ステッピングモータドライブ回路１２を経て電動ダンパ２に駆動電源を供給するスイッチング電源トランスである。１４は、スイッチング電源トランス１１の電圧を所定の電圧だけ降下させ、ステッピングモータドライブ回路１２に供給するための電圧降下用のダイオード１４である。
【００１５】
制御基板１に搭載されたスイッチング電源トランス１１から出力される直流電圧を、ステッピングモータドライブ回路１２を介してステッピングモータに印加する。この際、ステッピングモータドライブ回路１２と零Ｖ（ボルト）との間に、電圧降下素子となるダイオード１４を直列に接続する。
【００１６】
ステッピングモータは、電流を与える巻線の電流の方向を順番に切り替えることによって、一定の方向に回転する。以下、ステッピングモータを駆動するための電気的構成について、図１を用いてより詳細に説明する。
【００１７】
制御装置１３からステッピングモータドライブ回路１２にステッピングモータを駆動するための信号を出力すると、ステッピングモータの巻線に電流が流れる。制御装置の出力信号によりステッピングモータドライブ回路１２のａとｄをオンすると、配線Ａから配線Ｂに電流が流れ、次にｅとｈをオンすると、配線Ｃから配線Ｄに電流が流れる。このように、制御装置１３からの信号を順番に出力することにより、電流を流すステッピングモータの巻線を変更して電動ダンパ２を駆動させる。
【００１８】
尚、電動ダンパ２を駆動する時には、直列に接続されたダイオード１４にも電流が流れ、ダイオード１４の順電圧特性Ｖｆだけ電圧降下する。図３に、ダイオード１４の順電圧Ｖｆの特性の例を示す。ダイオード１４に流れる電流と順電圧Ｖｆとの関係は、図３中のＬに示される特性である。一例として、電動ダンパ２のステッピングモータ巻線に流れる電流が０.２Ａとすると、ダイオード１４に０.２Ａの電流が流れた時の順電圧Ｖｆは０.８Ｖ（図３中のＬ１）である。
【００１９】
よって、ダイオード１４のアノード側（Ｅ電圧観測点）と零Ｖとの電位を制御装置１３で電圧観測すれば、ダイオード１４の順電圧特性分の電圧Ｖｆ＝０.８Ｖが観測できる。つまり、制御装置１３からステッピングモータドライブ回路１２に出力した時には、ダイオード１４のアノード側（Ｅ電圧観測点）には電圧Ｖｆ＝０.８Ｖが発生し、この電圧を制御装置で観測することにより、ステッピングモータの巻線に電流が流れていることを確認できる。
【００２０】
前述のとおり、制御装置１３からの出力信号により、ステッピングモータドライブ回路のａとｄをオンした場合、配線Ａから配線Ｂに電流が流れる。ここで、配線Ａが断線していた場合、ステッピングモータ駆動回路１２と電動ダンパ２とが電気的に接続されていないため、電動ダンパ２内のステッピングモータの巻線に電流は流れることがなく、これによりダイオード１４にも電流は流れない。この場合、ダイオード１４のアノード側（Ｅ電圧観測点）の電圧を制御装置１３で観測しても、ダイオード１４の順電圧特性の電圧Ｖｆを観測することができず、零Ｖが観測される。
【００２１】
このように、電動ダンパ２のステッピングモータを駆動するために、制御装置１３からステッピングモータドライブ回路１２へ信号を出力した時には、正常時には制御装置にダイオード１４順電圧Ｖｆが観測できるが、配線に断線が発生している場合には、零Ｖの電圧が観測される。このことから、ダイオード１４のアノード側（Ｅ電圧観測点）の電圧を制御装置で観測し、その電圧値により配線が断線されているか否かの判断が可能となることがわかる。
【００２２】
次に図４に、制御装置１３により電圧観測し、断線による異常が発生しているか否かを判定する制御フローチャートを示す。冷蔵庫の運転中（Ｓ０１）には、冷蔵庫内を冷却するために電動ダンパを動作させる必要が発生する（Ｓ０２）。電動ダンパを駆動する時にはステッピングモータドライブ回路１２に駆動信号を出力する（Ｓ０３）。制御装置１３の出力信号によりステッピングモータドライブ回路のａとｄをオン（Ｓ０４）すると、配線Ａから配線Ｂに電流が流れ、この時にダイオード１４のアノード側（Ｅ電圧観測点）の電圧を制御装置で電圧観測する（Ｓ０５）。
【００２３】
図３の特性のダイオード１４の場合、順電圧特性Ｖｆ＝０.８Ｖとすれば、回路及び配線などが正常状態のとき、制御装置１３で観測される電圧は０.８Ｖとなるはずである。これに対し、配線の断線があった場合には、電動ダンパ２のステッピングモータ巻線に電流が流れないため零Ｖが観測される。
【００２４】
ここで、制御装置１３で観測される電圧をＶＤとし、通常の場合と断線の場合の判定閾値を０.５Ｖすると、制御装置１３からステッピングモータドライブ回路１２に駆動信号を出力した時、制御装置１３で電圧観測した電圧ＶＤは、ＶＤ＝Ｖｆ＝０.８Ｖとなる。ＶＤ≧０.５Ｖであれば正常とみなし、引き続き電動ダンパ２の駆動を続けるべく別のステッピングモータ巻線に電流を流す。そのため、ステッピングモータドライブ回路１２のｅとｈをオン（Ｓ０６−２）して配線Ｃから配線Ｄに電流を流す。これは、前述の如く電流を与える巻線と電流の方向を順番に切り替えることによって、ステッピングモータを一定の方向に回転させるためである。
【００２５】
逆に、ＶＤ＜０.５Ｖの場合、配線の断線と推測（Ｓ０６−１）し、異常と検知する。異常状態と推定した場合、異常報知アラーム出力（Ｓ０９）を行う。異常報知アラーム出力は、ブザーなどの音による報知またはＬＥＤの点灯など目視確認による報知などの異常報知手段１５により行う。
【００２６】
異常報知アラーム出力が行われた場合、冷蔵庫の機能検査時に検査員に異常を報知、不良品などの流出を防ぐことが可能となる。
【００２７】
以上の本実施の形態の冷蔵庫は、電動ダンパ制御装置の零Ｖ側に接続した電圧降下素子の印加電圧を観測することにより、ステッピングモータを用いた電動ダンパの接続回路及び配線の断線の異常時に電気的に検出可能となり、冷蔵庫の機能検査時に確実に異常を発見し、修復処置することが可能であり、信頼性を向上することができる。
【符号の説明】
【００２８】
２  電動ダンパ
１２  ステッピングモータドライブ回路
１３  制御装置
１４  ダイオード（電圧降下素子）
１５  異常報知手段
２１  バッフル
【図１】
2010178401.tif 000003
【図２】
2010178401.tif 000004
【図３】
2010178401.tif 000005
【図４】
2010178401.tif 000006